(57)【要約】【課題】点火コイルの１次巻線の発生電圧サイクルの周期から回転速度を検出し、また回転速度に適合した点火時点をタイマー設定することにより、点火コイルに電圧のバラツキが有っても、正確で安定した回転速度計測を可能とすると共に、より効率的な燃焼動作を得ることを目的とする。【解決手段】  点火コイル２４の１次巻線２５の誘起電圧を全波整流して、少なくとも三つの連続した電圧分を有する電圧波を得、予め設定した進角回転速度ｎ以下の回転速度では、第２電圧分ｄ２により点火動作を行い、回転速度が進角回転速度ｎに達したならば、第２電圧分ｄ２の前に立ち上がる第１電圧分ｄ１により点火動作を行うことにより、大幅な進角を確実に得る。【選択図】図３
2006017068.tif 000002
【特許請求の範囲】
【請求項１】
点火コイル(24)の１次巻線(25)に、第１半導体スイッチ(31)と電流検知抵抗(32)との直列回路を並列に接続し、前記第１半導体スイッチ(31)に第２半導体スイッチ(34)を接続し、該第２半導体スイッチ(34)のオンにより第１半導体スイッチ(31)をオフさせて、前記１次巻線(25)に流れている１次短絡電流を急激に遮断し、前記点火コイル(24)の２次巻線に接続された点火プラグ(26)に火花放電を発生させる誘導放電型内燃機関用点火装置において、一つの順方向電圧分の前後に、逆方向電圧分を連続させる出力波形の１次巻線(25)の１次巻線電圧および、該１次巻線(25)と併設されたピックアップコイル(27)の、前記１次巻線電圧と同期して同相に出力されるピックアップコイル電圧(E1)を全波整流して１次巻線整流電圧(D)およびピックアップコイル整流電圧(E2)を得、該ピックアップコイル整流電圧（E2)の順に並んだ第１電圧分(e1)、第２電圧分(e2)そして第３電圧分(e3)の電圧値が、継続した点火動作を得ることができる前記１次巻線整流電圧(D)の値に対応して予め設定した周期検出電圧値(v1)に達した第１周期分開始時点(t1)、第２周期分開始時点(t2)そして第３周期分開始時点(t3)の各時点で周期検出信号(s1)を発生させ、該周期検出信号(s1)に従って周期(T)を計測して回転速度を求め、該回転速度が、予め設定した進角回転数(n)に達していない場合には、前記第２周期分開始時点(t2)からカウントしたタイマー時間後に前記第２半導体スイッチ(34)をオンさせる点火信号(s3)を出力し、前記回転速度が、進角回転数(n)に達している場合には、前記第１周期分開始時点(t1)からカウントしたタイマー時間後に点火信号(s3)を出力し、前記各タイマー時間を検出した回転速度に従って設定する内燃機関用点火装置の点火時点制御方法。
【請求項２】
ピックアップコイル整流電圧(E2)の第１電圧分(e1)および第２電圧分(e2)の電圧値が、点火動作を得ることができる前記１次巻線整流電圧(D)の最低電圧値に対応させて予め設定した下限電圧値(v2)まで下降したならば、第１周期分開始時点(t1)および第２周期分開始時点(t2)からのタイマー時間のタイムアップを待たずに点火信号(s3)を出力する請求項１記載の内燃機関用点火装置の点火時点制御方法。
【請求項３】
第１周期分開始時点(t1)および第２周期分開始時点(t2)からカウントされるタイマー時間を、回転速度が上がるほど短くする請求項１または２記載の内燃機関用点火装置の点火時点制御方法。
【請求項４】
周期検出信号(s1)が出力される各周期分開始時点の時間間隔から各周期分を計測し、今回得られた周期分が前回得られた周期分よりも充分長い場合には、今回の周期分の終了時点を第１周期分開始時点(t1)と判断し、また今回得られた周期分の終了時点が第１周期分開始時点(t1)ではないと判断され、かつ第１周期分開始時点(t1)が検出されている場合には、今回得られた周期分の終了時点を第２周期分開始時点(t2)と判断する請求項１、２または３記載の内燃機関用点火装置の点火時点制御方法。
【請求項５】
点火コイル(24)の１次巻線(25)に、第１半導体スイッチ(31)と電流検知抵抗(32)との直列回路を並列に接続し、前記第１半導体スイッチ(31)に第２半導体スイッチ(34)を接続し、該第２半導体スイッチ(34)のオンにより第１半導体スイッチ(31)をオフさせて、前記１次巻線(25)に流れている１次短絡電流を急激に遮断し、前記点火コイル(24)の２次巻線に接続された点火プラグ(26)に火花放電を発生させる誘導放電型内燃機関用点火装置に組付けられ、一つの順方向電圧分の前後に、逆方向電圧分を連続させる出力波形の１次巻線(25)の１次巻線電圧および、該１次巻線(25)と併設されたピックアップコイル(27)の、前記１次巻線電圧と同期して同相に出力されるピックアップコイル電圧(E1)を全波整流して得られる、１次巻線整流電圧(D)およびピックアップコイル整流電圧(E2)の内、該ピックアップコイル整流電圧(E2)から内燃機関の回転速度を計測し、該回転速度もしくは前記１次巻線整流電圧(D)に対応したピックアップコイル整流電圧(E2)の値に従って、前記第２半導体スイッチ(34)にトリガ信号である点火信号(s3)を出力する点火時点制御装置(1)であって、定電圧電源部(2)と、マイコン部(9)と、周期信号発生部(12)と、電圧検知部(19)とから構成し、前記定電圧電源部(2)を、前記１次巻線(25)と併設した電源コイル(28)の整流した出力を充電して、一定電圧値の出力を、前記マイコン部(9)と周期信号発生部(12)と電圧検知部(19)とに供給するものとし、前記周期信号発生部(12)を、前記ピックアップコイル整流電圧(E2)の第１電圧分(e1)、第２電圧分(e2)そして第３電圧分(e3)の電圧値が、継続した点火動作を得ることができる前記１次巻線整流電圧(D)の値に対応して予め設定した周期検出電圧値(v1)に達した第１周期分開始時点(t1)、第２周期分開始時点(t2)そして第３周期分開始時点(t3)の各時点で周期検出信号(s1)を発生するものとし、前記電圧検知部(19)を、前記ピックアップコイル整流電圧(E2)を電圧信号(s2)として出力するものとし、前記マイコン部(9)を、前記第１電圧分(e1)で得た周期検出信号(s1)から次の第１電圧分(e1)で得た周期検出信号(s1)までの時間である１周期(T)から回転速度を計測し、該計測した回転速度が、予め設定した進角回転数(n)に達していない場合には、前記第２周期分開始時点(t2)からカウントしたタイマー時間後に点火信号(s3)を出力し、計測した回転速度が進角回転数(n)に達している場合には、前記第１周期分開始時点(t1)からカウントしたタイマー時間後に点火信号(s3)を出力し、また前記電圧信号(s2)から、第１電圧分(e1)および第２電圧分(e2)の電圧値が、点火動作を得ることができる前記１次巻線整流電圧(D)の最低電圧値に対応させて予め設定した下限電圧値(v2)まで下降したならば、前記第１周期分開始時点(t1)および第２周期分開始時点(t2)からのタイマー時間のタイムアップを待たずに点火信号(s3)を出力するものとした内燃機関用点火装置の点火時点制御装置。
【発明の詳細な説明】
【技術分野】
【０００１】
本発明は、内燃機関の誘導放電型点火装置の点火時点制御方法および点火時点制御装置に関するものである。
【背景技術】
【０００２】
内燃機関用点火装置として、点火コイルの１次巻線を流れる１次短絡電流を急激に遮断し、もって点火コイルの２次巻線に高電圧を発生させ、この２次巻線に接続されている点火プラグに火花放電を発生させて、点火動作を行う誘導放電型点火装置が知られている。
【０００３】
この誘導放電型点火装置は、構成が簡単で、確実な点火動作を得ることができる、と云う利点がある反面、点火時点の大きな進角幅を得ることができず、このため点火時点を所望する時点に正確に制御することができるとは限らず、これにより内燃機関の安全で効率の良い運転、燃料消費率の低減、そして排気ガスの浄化を得ることを充分に達成できない、と云う不満があった。
【０００４】
この不満を解消するものとして、点火コイルの１次巻線が誘起する少なくとも１サイクルの交流電圧のうち、最初に現れる一方の極性の半サイクルの電圧が発生している時に、１次巻線を流れる１次短絡電流を急激に遮断する第１の電流制御回路と、点火コイルの１次巻線が誘起する交流電圧のうち、２番目に現れる他方の極性の半サイクルの電圧が発生している時に、１次巻線を流れる１次短絡電流を急激に遮断する第２の電流制御回路とを設け、内燃機関の回転速度が、予め設定した進角回転速度以下では、第１の電流制御回路の動作を不能とし、もって進角回転速度を境として、点火時点の大幅な進角を可能としたものがある。
【特許文献１】特開平１１−１９０２６８号公報
【発明の開示】
【発明が解決しようとする課題】
【０００５】
しかしながら、上記した従来技術にあっては、進角回転速度の検出を、最初に現れる一方の極性の半サイクルの電圧を、抵抗分圧の設定調整により検出する構成となっているので、点火コイルの発電能力のバラツキ、点火コイルとフライホイールとの間のエアギャップのバラツキ等による電圧のバラツキが有り、このため進角回転速度を正確に設定するために、個々の点火装置毎に抵抗分圧の設定調整を行う必要があり、取扱いが煩雑で、熟練度の高い技術を必要とする、と云う問題があった。
【０００６】
また、得られる点火時点は、抵抗分圧で固定的に設定された一つの時点だけとなるため、変化する回転速度に対して適合した点火時点となるとは限らず、このため必ずしもより効率的な燃焼動作を得ることができるとうは限らない、と云う問題があった。
【０００７】
さらに、略同じ電圧検出機能および電流遮断機能を有する電流制御回路を二つ必要とするため、全体構成が複雑となると共に、多数の半導体スイッチを使用するので、製作価格が高くなる、と云う問題があった。
【０００８】
そこで、本発明は、上記した従来技術における問題点を解消すべく創案されたもので、点火コイルの１次巻線の発生電圧サイクルの周期から回転速度を検出し、また回転速度に適合した点火時点をタイマー設定することを技術的課題とし、もって点火コイルに電圧のバラツキが有っても、正確で安定した回転速度計測を可能とすると共に、より効率的な燃焼動作をえることを目的とする。
【課題を解決するための手段】
【０００９】
上記技術的課題を解決する本発明の内、請求項１記載の発明の構成は、
点火コイルの１次巻線に、第１半導体スイッチと電流検知抵抗との直列回路を並列に接続し、第１半導体スイッチに第２半導体スイッチを接続し、この第２半導体スイッチのオンにより第１半導体スイッチをオフさせて、１次巻線に流れている１次短絡電流を急激に遮断し、点火コイルの２次巻線に接続された点火プラグに火花放電を発生させる誘導放電型内燃機関用点火装置における点火時点制御方法であること、
一つの順方向電圧分の前後に、逆方向電圧分を連続させる出力波形の１次巻線の１次巻線電圧および、１次巻線と併設されたピックアップコイルの、１次巻線電圧と同期して同相に出力されるピックアップコイル電圧を全波整流して１次巻線整流電圧およびピックアップコイル整流電圧を得ること、
このピックアップコイル整流電圧の順に並んだ第１電圧分、第２電圧分そして第３電圧分の電圧値が、継続した点火動作を得ることができる１次巻線整流電圧の値に対応して予め設定した周期検出電圧値に達した第１周期分開始時点、第２周期分開始時点そして第３周期分開始時点の各時点で周期検出信号を発生させ、この周期検出信号に従って周期を計測して回転速度を求めること、
この回転速度が、予め設定した進角回転数に達していない場合には、第２周期分開始時点からカウントしたタイマー時間後に第２半導体スイッチをオンさせる点火信号を出力すること、
回転速度が、進角回転数に達している場合には、第１周期分開始時点からカウントしたタイマー時間後に点火信号を出力すること、
各タイマー時間を検出した回転速度に従って設定すること、
にある。
【００１０】
この請求項１記載の発明において、ピックアップコイルのピックアップコイル整流電圧から周期を計測して回転速度を求めるので、回転速度の検出に、点火コイルおよびピックアップコイルの発電能力のバラツキや、エアギャップのバラツキ等による電圧のバラツキが影響しない。
【００１１】
第２半導体スイッチをオンさせる、すなわち点火動作を行わせる点火信号の出力は、第２周期分開始時点からカウントする場合にせよ、第１周期分開始時点からカウントする場合にせよ、設定されるタイマー時間後に出力されるが、このタイマー時間は、求められた回転速度に従って設定されるので、点火時点の設定が自由であり、効率的な燃焼を得ることのできる時点に設定することが可能である。
【００１２】
請求項2記載の発明は、請求項１記載の発明の構成に、ピックアップコイル整流電圧の第１電圧分および第２電圧分の電圧値が、点火動作を得ることができる１次巻線整流電圧の最低電圧値に対応させて予め設定した下限電圧値まで下降したならば、第１周期分開始時点および第２周期分開始時点からのタイマー時間のタイムアップを待たずに点火信号を出力すること、を加えたものである。
【００１３】
この請求項２記載の発明においては、常に１次巻線整流電圧を監視し、この１次巻線整流電圧の電圧値が、点火動作を得ることができる範囲内にある内に点火動作を行わせ、これにより点火動作を安定して確実に得るようにしている。
【００１４】
請求項３記載の発明は、請求項1または２記載の発明の構成に、第１周期分開始時点および第２周期分開始時点からカウントされるタイマー時間を、回転速度が上がるほど短くすること、を加えたものである。
【００１５】
この請求項３記載の発明においては、タイマー時間の検出した回転速度に従った設定を、回転速度の上昇に従って点火時点を進角させる設定となり、これにより内燃機関を、円滑にそして効率良く回転駆動させることになる。
【００１６】
請求項４記載の発明は、請求項1、２または３記載の発明の構成に、周期検出信号が出力される各周期分開始時点の時間間隔から各周期分を計測し、今回得られた周期分が前回得られた周期分よりも充分長い場合には、今回の周期分の終了時点を第１周期分開始時点と判断し、また今回得られた周期分の終了時点が第１周期分開始時点ではないと判断され、かつ第１周期分開始時点が検出されている場合には、今回得られた周期分の終了時点を第２周期分開始時点と判断すること、を加えたものである。
【００１７】
この請求項４記載の発明においては、回転速度の変化に関わりなく、ピックアップコイル整流電圧の一つのサイクルの、第１周期分開始時点から第２周期分開始時点までの周期分、および第２周期分開始時点から第３周期分開始時点までの周期分に比べて、ピックアップコイル整流電圧の一つのサイクルの第３周期分開始時点から次のサイクルの第１周期分開始時点までの周期分の方が充分に長い、と云う事実に基づいて、各サイクルの第１周期分開始時点を正確にかつ確実に検出する。
【００１８】
また、正確にかつ確実に検出することのできる第１周期分開始時点に従って第２周期分開始時点を検出するので、第２周期分開始時点の検出も、正確で確実なものとなる。
【００１９】
また、本発明の内、請求項５記載の発明の構成は、
点火コイルの１次巻線に、第１半導体スイッチと電流検知抵抗との直列回路を並列に接続し、第１半導体スイッチに第２半導体スイッチを接続し、この第２半導体スイッチのオンにより第１半導体スイッチをオフさせて、１次巻線に流れている１次短絡電流を急激に遮断し、点火コイルの２次巻線に接続された点火プラグに火花放電を発生させる誘導放電型内燃機関用点火装置に組付けられる、一つの順方向電圧分の前後に、逆方向電圧分を連続させる出力波形の１次巻線の１次巻線電圧および、この１次巻線と併設されたピックアップコイルの、１次巻線電圧と同期して同相に出力されるピックアップコイル電圧を全波整流して得られる、１次巻線整流電圧およびピックアップコイル整流電圧の内、このピックアップコイル整流電圧から内燃機関の回転速度を計測し、この回転速度もしくは１次巻線整流電圧に対応したピックアップコイル整流電圧の値に従って、第２半導体スイッチにトリガ信号である点火信号を出力する点火時点制御装置であること、
定電圧電源部と、マイコン部と、周期信号発生部と、電圧検知部とから構成されること、
定電圧電源部を、１次巻線と併設した電源コイルの整流した出力を充電して、一定電圧値の出力を、マイコン部と周期信号発生部と電圧検知部とに供給するものとすること、
周期信号発生部を、ピックアップコイル整流電圧の第１電圧分、第２電圧分そして第３電圧分の電圧値が、継続した点火動作を得ることができる１次巻線整流電圧の値に対応して予め設定した周期検出電圧値に達した第１周期分開始時点、第２周期分開始時点そして第３周期分開始時点の各時点で周期検出信号を発生するものとすること、
電圧検知部を、ピックアップコイル整流電圧を電圧信号として出力するものとすること、
マイコン部を、第１電圧分で得た周期検出信号から次の第１電圧分で得た周期検出信号までの時間である１周期から回転速度を計測し、この計測した回転速度が、予め設定した進角回転数に達していない場合には、第２周期分開始時点からカウントしたタイマー時間後に点火信号を出力し、計測した回転速度が進角回転数に達している場合には、第１周期分開始時点からカウントしたタイマー時間後に点火信号を出力し、また電圧信号から、第１電圧分および第２電圧分の電圧値が、点火動作を得ることができる１次巻線整流電圧の最低電圧値に対応させて予め設定した下限電圧値まで下降したならば、第１周期分開始時点および第２周期分開始時点からのタイマー時間のタイムアップを待たずに点火信号を出力するものとすること、
にある。
【００２０】
この請求項５記載の発明においては、点火コイルの１次巻線の１次巻線電圧を全波整流して１次巻線整流電圧を得、この１次巻線整流電圧に従って点火動作を行うので、常に単一極性の電力に従って点火動作を行うことになり、それゆえ点火動作に必要とされるのは、一つの点火回路だけで良いことになる。
【００２１】
周期検出信号と電圧信号とは、それぞれ専用の周期信号発生部と電圧検知部とで別々に得ているので、周期信号発生部および電圧検知部の回路構成が簡単となり、周期検出信号および電圧信号が精度良く安定して得られる。
【００２２】
また、マイコン部、周期信号発生部そして電圧検知部には、単一の定電圧電源部から、一定電圧値の出力が共通して供給されて、周期検出信号および電圧信号の作成および処理が為されるので、マイコン部での信号の処理を、簡単に、そして精度良く安定して達成する。
【発明の効果】
【００２３】
本発明は、上記した構成としたので、以下に示す効果を奏する。
請求項1記載の発明にあっては、回転速度の検出を、点火コイルおよびピックアップコイルの電圧のバラツキに影響されることなく達成することができるので、安定して精度の良い回転速度検出を得ることができ、これにより良好な点火時点進角制御を得ることができる。
【００２４】
点火時点を設定するタイマー時間は、求められた回転速度に従って設定されるので、点火時点を効率的な燃焼を得ることのできる時点に設定することが可能であり、これにより内燃機関の効率の良い稼動を得ることができる。
【００２５】
請求項２記載の発明にあっては、点火動作を安定して確実に得ることができるので、内燃機関の安定した稼動を得ることができる。
【００２６】
請求項3記載の発明にあっては、回転速度の上昇に従って点火時点を進角させるので、内燃機関の、円滑にそして効率良く回転駆動を得ることができる。
【００２７】
請求項４記載の発明にあっては、入力される周期検出信号から得られる個々の周期分の時間長さから、第１周期分開始時点を正確に検出することができ、この正確に検出された第１周期分開始時点を基にして第２周期分開始時点を検出するので、この第２周期分開始時点の検出の正確に達成でき、これにより回転速度の計測が精度良く達成されることになる。
【００２８】
請求項５記載の発明にあっては、一つの点火回路で点火動作を達成でき、また周期信号発生部および電圧検知部の回路構成を簡単なものとすることができるので、点火装置の全体構成を簡単化することができ、その分、製造費を安くすることができる。
【００２９】
また、周期検出信号および電圧信号が精度良く安定して得られると共に、マイコン部での信号の処理が簡単にそして精度良く安定して達成されるので、所望する点火時点制御、すなわち進角動作を無理なく得ることができる。
【発明を実施するための最良の形態】
【００３０】
以下、本発明の実施の態様を、図面を参照しながら説明する。
図１は、誘導放電型点火回路３０と組合わさって内燃機関用点火装置を構成する、本発明による点火時点制御装置１の構成例を示す電気回路図で、点火時点制御装置１は、定電圧電源部２とマイコン部９と周期信号発生部１２と電圧検出部１９とから構成されている。
【００３１】
また、点火コイル２４の１次巻線２５には、ピックアップコイル２７と電源コイル２８とが併設されており、ピックアップコイル２７は、１次巻線２５の１次巻線電圧よりも小さいが、同期して同相のピックアップコイル電圧Ｅ１を出力し、このピックアップコイル電圧Ｅ１は、第１全波整流回路３６でピックアップコイル整流電圧Ｅ２に整流されて、周期信号発生部１２および電圧検出部１９に供給される
【００３２】
１次巻線２５およびピックアップコイル２７は、共に一つの順方向電圧分の前後に、逆方向電圧分を連続させる出力波形の１次巻線電圧およびピックアップコイル電圧Ｅ１を誘起するので、全波整流された１次巻線整流電圧Ｄおよびピックアップコイル整流電圧Ｅ２は、一定極性で連続した三つの電圧分を有する電圧波形を有することになる。
【００３３】
点火時点制御装置１が取付けられる点火回路３０は、２次巻線に点火プラグ２６を接続した点火コイル２４の１次巻線２５に第２全波整流回路３７を介して接続されており、１次巻線２５に、トランジスタである第１半導体スイッチ３１と電流検知抵抗３２との直列回路と、バイアス抵抗３３と、ゲート・カソード間にゲート抵抗３５を接続したサイリスタである第２半導体スイッチ３４との直列回路を並列接続し、第１半導体スイッチ３１のベースに第２半導体スイッチ３４のアノードを接続して構成されている。
【００３４】
この点火回路３０は、内燃機関の稼動により、点火コイル２４の１次巻線２５に電圧が誘起されると、この誘起電圧に従って第１半導体スイッチ３１がオンし、１次巻線２５に1次短絡電流を流し、この状態から第２半導体スイッチ３４をオンさせると、第１半導体スイッチ３１は、そのベース電流が側路されるためオフし、１次短絡電流を急激に遮断し、これにより２次巻線に高電圧を誘起して点火プラグ２６に火花放電を発生させて点火動作を行う。
【００３５】
点火時点制御装置１の定電圧電源部２は、点火コイル２４の１次巻線２５と併設された電源コイル２８の発電電力を充電し、一定電圧値の出力を、マイコン部９、周期信号発生部１２そして電圧検出部１９に供給するもので、整流ダイオード２９で整流された電源コイル２８の電力を、過電圧防止ツェナーダイオード４を並列接続している電源コンデンサ３に充電し、この充電電圧が予め設定された一定電圧値に達すると、ベースに電圧安定化ツェナーダイオード６とベース抵抗７とを接続した電圧安定化トランジスタ５が導通して、一定電圧を出力する。
【００３６】
この定電圧電源部２の一定電圧値は、マイコン部９のマイコン１０の動作可能電圧の上限値に近い値、具体的には５Ｖに設定されており、これにより定電圧出力信号中にサージノイズが侵入したとしても、このサージノイズの影響を受けないようにしている。
【００３７】
マイコン部９は、マイコン１０を主体として構成されており、定電圧電源部２の出力電圧値が予め設定した一定値に達したことを検出して、図示省略したリセットＩＣからのリセットポートに対する指令により立ち上がり、点火信号供給抵抗１１を介して、第２半導体スイッチ３４のゲートに、トリガ信号である点火信号ｓ３を出力する。
【００３８】
周期信号発生部１２は、定電圧電源部２から定電圧信号を、波形整形抵抗１７を介してトランジスタである信号発生半導体スイッチ１３に与えておき、信号発生半導体スイッチ１３のベースに接続された検出ツェナーダイオード１４と電圧検出抵抗１５との直列回路により、ピックアップコイル整流電圧Ｅ２が、予め設定した周期検出電圧値ｖ１を越えたならば、ベース・エミッタ間に動作安定抵抗１６を接続した信号発生半導体スイッチ１３をオンさせ、この信号発生半導体スイッチ１３と波形整形抵抗１７との接続点の電位を周期検出信号ｓ１としてマイコン部９に出力する。
【００３９】
電圧検出部１９は、ピックアップコイル整流電圧Ｅ２を、電圧設定分圧抵抗２０と２１の直列回路に加え、両電圧設定分圧抵抗２０、２１の分圧点の電圧を電圧信号ｓ２（図２のｂ参照）として、マイコン部９に出力する。なお、両電圧設定分圧抵抗２０、２１の分圧点とアースとの間には、ノイズ除去コンデンサ２２を接続し、また両電圧設定分圧抵抗２０、２１の分圧点と定電圧電源部２の出力端との間には、保護ダイオード２３を接続している。
【００４０】
周期信号発生部１２で設定した周期検出電圧値ｖ１は、内燃機関を安定して起動させることができる回転速度になって得られる１次巻線整流電圧Ｄの値、例えば４０Ｖ程度に対応するピックアップコイル整流電圧Ｅ２の値に設定されるが、このピックアップコイル整流電圧Ｅ２の値が、最初に周期検出電圧値ｖ１に達するのと前後して、定電圧電源部２の定電圧出力信号が出力されるので、最初の周期検出信号ｓ１の出力とほぼ同時にマイコン１０が立ち上げられる。
【００４１】
一サイクルのピックアップコイル整流電圧Ｅ２は、三つの電圧分、すなわち第１電圧分ｅ１、第２電圧分ｅ２そして第３電圧分ｅ３（図２のｂ参照）から構成されているので、周期検出信号ｓ１は、一サイクル中に、第１電圧分ｅ１が周期検出電圧値ｖ１に達した時点である第１周期分開始時点ｔ１、第２電圧分ｅ２が周期検出電圧値ｖ１に達した時点である第２周期分開始時点ｔ２、そして第３電圧分ｅ３が周期検出電圧値ｖ１に達した時点である第３周期分開始時点ｔ３の各三時点で出力される（図２のｃ参照）ことになる。
【００４２】
マイコン１０は、第１周期分開始時点ｔ１から第２周期分開始時点ｔ２までの時間を計測して第１周期分Ｔ１を、第２周期分開始時点ｔ２から第３周期分開始時点ｔ３までの時間を計測して第２周期分Ｔ２を、そして第３周期分開始時点ｔ３から次のサイクルの第１周期分開始時点ｔ１までの時間を計測して第３周期分Ｔ３を得、この第１周期分Ｔ１と第２周期分Ｔ２と第３周期分Ｔ３を加算して周期Ｔ、すなわち回転速度を算出する。
【００４３】
また、マイコン１０は、この算出した回転速度と予め設定されている進角回転速度ｎとを比較し、算出回転速度が進角回転速度ｎに達していない場合には第２周期分開始時点ｔ２からの、反対に算出回転速度が進角回転速度ｎに達している場合には第１周期分開始時点ｔ１からの、点火信号ｓ３を出力するまでの時間である回転速度に対応したタイマー時間を、予め記憶した多数のデータの中から選択して決定する。
【００４４】
すなわち、算出回転速度が進角回転速度ｎに達していない場合は、１次巻線整流電圧Ｄの第２電圧分ｄ２（図３のａ、ｂ、ｃ参照）で点火動作が行われることになり、得られる進角特性は、図４に示す、遅れ側点火時点ｚ１まで徐々に進角する第２電圧分領域ｆ２となり、算出回転速度が進角回転速度ｎに達した場合は、１次巻線整流電圧Ｄの第１電圧分ｄ１（図３のｄ、ｅ、ｆ参照）で点火動作が行われるので、得られる進角特性は、遅れ側点火時点ｚ１に対して進角幅ｚだけ進角した進み側点火時点ｚ２から徐々に進角する第１電圧分領域ｆ１となる。
【００４５】
それゆえ、得られる進角特性曲線Ｆは、図４に示すように、回転速度の上昇に従って徐々に進角している進角動作が、進角回転速度ｎに達した時点で、大きな進角幅ｚを急激にステップアップした形態となる。
【００４６】
さらに、マイコン１０は、電圧検出部１９からの電圧信号ｓ２が入力されると、これをＡ／Ｄコンバータに入力し、点火動作を得ることができる１次巻線整流電圧Ｄの最低電圧値に対応した、ピックアップコイル整流電圧Ｅ２の値である、予め記憶した下限電圧値ｖ２と比較し、電圧信号ｓ２の値が下限電圧値ｖ２まで低下したならば、タイマー時間のタイムアップを待つことなく、点火信号ｓ３を出力する。
【００４７】
次に、点火装置の動作を、起動時から順に説明する。
内燃機関が回転起動されると、電源コイル２８に誘起された電圧により稼動状態となった定電圧電源部２から一定電圧が出力され、この出力を、マイコン部９のマイコン１０が入力して立ち上がる。
【００４８】
マイコン部９のマイコン１０は、メインルーチン（図５参照）におけるステップｇ１で立ち上がり、初期設定を行ってからステップｇ２の待機状態に入るが、この時、周期計測割込みルーチン（図６参照）がスタート可能な状態となっている。
【００４９】
この状態から、最初の周期検出信号ｓ１がマイコン部９に入力されると、周期計測割込みルーチンがステップｈ１でスタートし、ステップｈ２で周期検出信号ｓ１の入力を確認し、次いでステップｈ３で今回の周期検出信号ｓ１入力に従った周期分計測を行うが、最初であるため計測を行うことができないので、最初の周期検出信号ｓ１の入力時点だけを記憶して、ステップｈ５の「ＮＯ」からステップｈ９の「ＮＯ」を通って、ステップｈ１３のリターンからメインルーチンの点イに戻る。
【００５０】
点イに戻ると、ステップｇ３でＲＰＭ計算要求の有無を判断し、要求がないので、ステップｇ３の「ＮＯ」からステップｇ２に戻る。
【００５１】
次の周期検出信号ｓ１が入力されると、ステップｈ２で、その入力時点を確認してから、ステップｈ３で前回の時点から今回の時点までの時間を計測し、その結果に従ってステップｈ４、ｈ５で、今回の時点が第１周期分開始時点ｔ１であるか否かを判断する。
【００５２】
このステップｈ４、ｈ５における「今回の時点が第１周期分開始時点ｔ１であるか否か」の判断は、前回計測した周期分の長さに比べて、今回計測した周期分の長さが充分に長い（例えば、３倍以上）ことを判断基準としているが、前回の周期検出信号ｓ１入力時には、周期分の計測を行うことができなかったので、前回と同様に、ステップｈ５の「ＮＯ」からステップｈ９の「ＮＯ」を通って、ステップｈ１３のリターンから点イそしてステップｇ２に戻る。
【００５３】
さらに次の周期検出信号ｓ１が入力されると、ステップｈ２で入力時点を確認してから、ステップｈ３で前回の時点から今回の時点までの時間を計測し、その結果に従ってステップｈ４、ｈ５で、今回の時点が第１周期分開始時点ｔ１であるか否かを判断するが、今回計測した周期分が前回計測した周囲分に比べて充分には長くないので、「今回の時点は第１周期分開始時点ｔ１ではない」と判断して、ステップｈ５の「ＮＯ」からステップｈ９の「ＮＯ」を通って、ステップｈ１３のリターンから点イそしてステップｇ２に戻る。
【００５４】
そして、次の周期検出信号ｓ１が入力されると、ステップｈ２で入力時点を確認してから、ステップｈ３で前回の時点から今回の時点までの時間を計測し、その結果に従ってステップｈ４、ｈ５で、今回の時点が第１周期分開始時点ｔ１であるか否かを判断するが、今回計測した周期分が前回計測した周囲分に比べて充分には長いので、「今回の時点は第１周期分開始時点ｔ１である」と判断して、ステップｈ５の「ＹＥＳ」からステップ６に進んで周期計算（Ｔ＝Ｔ１＋Ｔ２＋Ｔ３）を行って周期Ｔを計測し、引き続きステップｈ７で回転速度計算要求セットを行い、ステップｈ８で第１周期分開始時点検出フラグセットを行って、ステップｈ１３のリターンから点イに戻る。
【００５５】
点イからステップｇ３に進むと「回転速度計算要求有り」であるので、ステップｇ３の「ＹＥＳ」からステップｇ４で「回転速度演算」を行う。
【００５６】
この「回転速度演算」は、図７に示した回転速度演算ルーチンのステップｉ１で計測した周期Ｔから回転速度を演算し、ステップｉ２で、この演算回転速度を予め設定した進角回転速度ｎとを比較し、演算回転速度が進角回転速度ｎに達していない場合には、ステップｉ２の「ＮＯ」からステップｉ５に進んで、演算回転速度に対応した第２周期分開始時点ｔ２からのタイマー時間を選択設定し、反対に演算回転速度が進角回転速度ｎに達している場合には、ステップｉ３に進んで、演算回転速度に対応した第１周期分開始時点ｔ１からのタイマー時間を選択設定し、次いでステップｉ４でＡ／Ｄ割込みを指示してステップｉ６で点イに戻る。
【００５７】
この状態から周期検出信号ｓ１がマイコン１０に入力されると、周期計測ルーチンのステップｈ４、ｈ５で、その入力時点が第１周期分開始時点ｔ１ではないと判断されるので、ステップｈ９に進んで第１周期分開始時点検出フラグの有無が判断される。
【００５８】
第１周期分開始時点検出フラグはセットされているので、ステップｈ１０に進んで、今回の入力時点が第２周期分開始時点ｔ２であるとして、ステップｈ１１で第１周期分開始時点検出フラグをリセットしてから、ステップｈ１２で、選択設定された第２周期分開始時点ｔ２からのタイマー時間をセットし、ステップｈ１３から点イに戻り、Ａ／Ｄルーチンと点火時点タイマールーチンとが同時にスタートする。
【００５９】
点火時点タイマールーチンでは、ステップｋ１でスタートしてから、ステップｋ２で点火信号ｓ３の出力が済んでいるか否かを判定し、済んでいる場合には、そのままステップｋ５に進んで、ステップｋ１に戻るが、済んでいない場合には、ステップｋ３に進んで、選択設定されたタイマー時間がタイムアップしたか否かを判断する。
【００６０】
タイマー時間がタイムアップしていない場合には、ステップｋ５に進んで、ステップｋ１に戻り、ステップｋ２、ｋ３の判断処理を繰り返し、ステップｋ３でタイマー時間がタイムアップしたと判断した場合には、ステップｋ４に進んで点火信号ｓ３を出力して、点火動作を行い、ステップｋ５に進んで、ステップｋ１に戻る。
【００６１】
ステップｊ１でスタートしたＡ／Ｄルーチンでは、ステップｊ２で、入力された電圧信号ｓ２の値と予め設定されている下限電圧値ｖ２とを比較し、ステップｊ３で、電圧信号ｓ２の値が下限電圧値ｖ２よりも小さくなったか否か判断し、小さくなっていないと判断された場合には、ステップｊ３の「ＮＯ」からステップｊ６に進んで、ステップｊ１に戻り、この動作を繰り返す。
【００６２】
ステップｊ３で、電圧信号ｓ２の値が下限電圧値ｖ２よりも小さくなったと判断された場合には、ステップｊ３の「ＹＥＳ」からステップｊ４に進んで、点火信号ｓ３を強制的に出力させて、点火動作を行い、そのままステップｊ５に進んで、点火時点タイマールーチンの割込みを禁止してから、ステップｊ６に進んでステップｊ１に戻る。
【００６３】
このように、点火動作が行われた後は、周期計測ルーチンにより、再び第１周期分開始時点ｔ１を検出して、第２周期分開始時点ｔ２からタイマー時間をカウントする第２電圧分領域ｆ２での、上記した動作を繰り返すが、回転速度が上昇して進角回転速度ｎに達すると、回転速度演算ルーチンのステップｊ２からステップｉ３に進み、第１周期分開始時点ｔ１からのタイマー時間を計算し、第１周期分開始時点ｔ１からタイマー時間をカウントする第１電圧分領域ｆ１での点火動作を行う。
【図面の簡単な説明】
【００６４】
【図１】本発明の一実施形態例を示す、電気回路図である。
【図２】各周期分開始時点の動作タイミングを示す、説明図である。
【図３】進角された点火時点の動作を示す、説明図である。
【図４】得られる進角動作を示す、進角特性曲線である。
【図５】マイコンにおけるメインルーチンの、フロー図である。
【図６】マイコンにおける周期計測ルーチンの、フロー図である。
【図７】マイコンにおける回転速度演算ルーチンの、フロー図である。
【図８】マイコンにおけるＡ／Ｄルーチンの、フロー図である。
【図９】マイコンにおける点火時点タイマールーチンの、フロー図である。
【符号の説明】
【００６５】
１    ；  点火時点制御装置
２    ；  定電圧電源部
３    ；  電源コンデンサ
４    ；  過電圧防止ツェナーダイオード
５    ；  電圧安定化トランジスタ
６    ；  電圧安定化ツェナーダイオード
７    ；  ベース抵抗
８    ；  ノイズ除去コンデンサ
９    ；  マイコン部
１０  ；  マイコン
１１  ；  点火信号供給抵抗
１２  ；  周期信号発生部
１３  ；  信号発生半導体スイッチ
１４  ；  検出ツェナーダイオード
１５  ；  電圧検出抵抗
１６  ；  動作安定抵抗
１７  ；  波形整形抵抗
１８  ；  保護抵抗
１９  ；  電圧検出部
２０  ；  電圧設定分圧抵抗
２１  ；  電圧設定分圧抵抗
２２  ；  ノイズ除去コンデンサ
２３  ；  保護外オード
２４  ；  点火コイル
２５  ；  １次巻線
２６  ；  点火プラグ
２７  ；  ピックアップコイル
２８  ；  電源コイル
２９  ；  整流ダイオード
３０  ；  点火回路
３１  ；  第１半導体スイッチ
３２  ；  電流検知抵抗
３３  ；  バイアス抵抗
３４  ；  第２半導体スイッチ
３５  ；  ゲート抵抗
３６  ；  第１全波整流回路
３７  ；  第２全波整流回路
Ｄ    ；  １次巻線整流電圧
ｄ１  ；  第１電圧分
ｄ２  ；  第２電圧分
Ｅ１  ；  ピックアップコイル電圧
Ｅ２  ；  ピックアップコイル整流電圧
ｅ１  ；  第１電圧分
ｅ２  ；  第２電圧分
ｅ３  ；  第３電圧分
ｖ１  ；  周期検出電圧値
ｖ２  ；  下限電圧値
Ｔ    ；  周期
Ｔ１  ；  第１周期分
Ｔ２  ；  第２周期分
ｔ１  ；  第１周期分開始時点
ｔ２  ；  第２周期分開始時点
ｔ３  ；  第３周期分開始時点
ｓ１  ；  周期検出信号
ｓ２  ；  電圧信号
ｓ３  ；  点火信号
Ｆ    ；  進角特性曲線
ｆ１  ；  第１電圧分領域
ｆ２  ；  第２電圧分領域
ｚ    ；  進角幅
ｚ１  ；  遅れ側点火時期
ｚ２  ；  進み側点火時期
ｎ  ；  進角回転速度
【図１】
2006017068.tif 000003
【図２】
2006017068.tif 000004
【図３】
2006017068.tif 000005
【図４】
2006017068.tif 000006
【図５】
2006017068.tif 000007
【図６】
2006017068.tif 000008
【図７】
2006017068.tif 000009
【図８】
2006017068.tif 000010
【図９】
2006017068.tif 000011